(57)【要約】【課題】往復移動する多数の小文字や小絵柄などの看取を所定時間、複数回繰り返すことで、疲労感や倦怠感を覚えずに自然に視力回復を促進可能にする。【解決手段】人の右目および左目、または両眼の視界を所定のタイミングにて遮断および開放するシャッタ３と、このシャッタ３の遮断および開放動作を行わせるシャッタ駆動制御手段６と、シャッタ６を通して右目または左目、あるいは両眼によって看取される文字または絵柄等の看取対象を表示する表示器４と、を設けて、表示器駆動制御手段７により、表示器４を所定の距離内において垂直方向または水平方向に往復移動させる構成である。【選択図】図１
0003162922.tif 000002
【実用新案登録請求の範囲】
【請求項１】
人の右目および左目の視界を交互に、または両眼の視界を同時にそれぞれ遮断および開放するシャッタと、
このシャッタの遮断および開放の動作を所定のタイミングで制御するシャッタ駆動制御手段と、
前記シャッタを通して前記右目または左目、あるいは両眼によって看取される文字または絵柄等の看取対象を表示する表示器と、
前記シャッタから離れた設定位置において、前記表示器を所定のタイミングで垂直方向または水平方向に往復移動制御する表示器駆動制御手段と、
を備えることを特徴とする視力回復システム。
【請求項２】
前記シャッタが、メガネ枠に取り付けられている液晶パネルであることを特徴とする請求項１に記載の視力回復システム。
【請求項３】
前記表示器が、文字や絵柄等を映像表示する映像表示装置であることを特徴とする請求項１に記載の視力回復システム。
【考案の詳細な説明】
【技術分野】
【０００１】  本考案は、往復移動する表示器上の表示を片眼または両眼で看取するのみで視力を回復させることできる視力回復システムに関するものである。
【背景技術】
【０００２】  従来から、眼の調節筋（毛様体筋）の衰えが視力低下の原因であるところから、眼の焦点を連続的に近距離、遠距離と移動させるトレーニングが視力の回復力を高めるのに好ましいとされている。このため、従来から、基板に支持されて前後方向に往復移動する注視板を設け、この注視板の移動端の前側に患者の眼の位置を固定する支持部材を設けた視力回復装置が提案されている（例えば、特許文献１参照）。【０００３】  この視力回復装置では、先ず人の眼を眼支持部材により注視板の移動端前側位置に固定し、注視板に描かれたマークを注視する。そこで注視板が基板に支持されて前後方向に往復移動すると、患者の眼に対してこの注視板が接近および離間を繰り返すことになり、これに応じて患者は接近および離間する注視板上のマークを目で追うように連続的に注視する。【０００４】  この視力回復装置では、前後方向に往復移動する注視板の移動端の前側に患者の眼の位置を固定する支持部材を設けているため、患者は近距離および遠距離に眼の焦点を連続的に移動させて、調節筋のトレーニングを行うことができる。
【先行技術文献】
【０００５】
【特許文献】
【特許文献１】特開平０６−３３９５０１号公報
【考案の概要】
【考案が解決しようとする課題】
【０００６】  しかしながら、かかる従来の視力回復装置にあっては、注視板自体が遠近移動するものであるため、その移動距離分の長さ、サイズとなって構成が大型化、複雑化するほか、注視板を注視することによる疲労が大きく、また訓練が単調になり過ぎるところから、訓練を続けるうちに飽き、訓練を諦めてしまう結果、視力回復に至らないという問題があった。【０００７】  本考案はかかる従来の問題点に着目してなされたものであり、特に訓練のための看取対象を集中的に注視するのではなく、往復移動する看取対象である多数の小文字や小絵柄などの看取対象の看取を所定時間、複数回繰り返すことで、疲労感や倦怠感を覚えずに自然に視力回復の促進訓練を実施できる視力回復システムを提供することを目的とする。
【課題を解決するための手段】
【０００８】  前述した目的を達成するために、本考案に係る視力回復システムは、人の右目および左目の視界を交互に、または両眼の視界を同時にそれぞれ遮断および開放するシャッタと、このシャッタの遮断および開放の動作を所定のタイミングで制御するシャッタ駆動制御手段と、前記シャッタを通して前記右目または左目、あるいは両眼によって看取される文字または絵柄等の看取対象を表示する表示器と、
前記シャッタから離れた設定位置において、前記表示器を所定のタイミングで垂直方向または水平方向に往復移動制御する表示器駆動制御手段と、を備えることを特徴とする。【０００９】  この構成により、表示器に表示された多数の文字や絵柄などを水平方向や垂直方向に繰り返し往復移動させるとともに、人の右眼または左眼、あるいは両眼の視界を所定のタイミングで遮断および開放しながら、所定時間前記文字や絵柄などを看取することにより、当初は文字や絵柄の色のみが漠然と看取されるものの、次第にそれが色が付いた線状または帯状に看取され、さらにその線や帯がこの色の塊に見え、続いてその色の塊が大凡の文字や形状として看取され、遂には文字や絵柄とし明瞭に看取されることとなる。視力の訓練者は、かかる訓練を例えば１日３回で、一回につき３分実行することで、視力を顕著に回復させることができる。例えば近眼であれば、前記の訓練条件で視力が１．０であったものを一ヶ月で１．２に改善することができる。この場合において、訓練者は特定の文字や絵柄を注視するのではなく、文字列や絵柄列を漫然と看取するだけでよく、したがって、眼精疲労を最小限に抑制することができる。【００１０】  また、本考案にかかる視力回復システムは、前記シャッタが、メガネ枠に取り付けられている液晶パネルであることを特徴とする。
これにより、シャッタ付きメガネ枠を顔に着けるだけで、前記表示器が設置可能なあらゆる環境、場所で視力の回復訓練をいつでも簡単に実行することができる。【００１１】  また、本考案にかかる視力回復システムは、前記表示器が、文字や絵柄を映像表示する映像表示器であることを特徴とする。
これにより、特定の文字列や絵柄に限らず訓練者が選んだあらゆる種類やサイズの文字や絵柄を使って、飽きずに視力回復訓練を訓練者に続けさせることができる。
【考案の効果】
【００１２】  本考案によれば、往復移動する看取対象の多数の小文字や小絵柄などの看取を所定時間、複数回繰り返すだけで、疲労感や倦怠感を覚えずに短期間で無理なく視力回復を促進させることができる。【００１３】  以上、本考案について簡潔に説明した。更に、以下に説明される考案を実施するための最良の形態を添付の図面を参照して詳細に説明する。
【図面の簡単な説明】
【００１４】
【図１】本考案の実施形態による視力回復システムを概念的に示す基本構成図である。
【図２】図１におけるシャッタ周辺の構成図である。
【図３】図１における表示器周辺の構成図である。
【図４】図３にける表示器の表示内容を示す正面図である。
【図５】シャッタ付きメガネ枠の動作を示す説明図である。
【考案を実施するための形態】
【００１５】  以下、本考案の実施の形態にかかる視力回復システムを図１乃至図４を参照して説明する。
【００１６】  図１は、本実施形態による視力回復システムの基本構成を示し、これが容器１と、看取孔２ａ、２ｂと、シャッタ３と、表示器４と、照明部５と、シャッタ駆動制御部６と、表示器駆動制御部７と、を備えて構成される。これらのうち、容器１は鉄板などの金属板によって矩形筒状に形成され、この容器１を構成する矩形筒状部１ａの両端は塞板１ｂ、１ｃによって塞がれて、内部が略密閉状態の空間とされている。そして、塞板１ｂには、この塞板１ｂを貫通するように同一径の２個の看取孔２ａ、２ｂが水平方向に並ぶように形成されている。
【００１７】  これらの看取孔２ａ、２ｂは左右の眼で容器１内を覗くことを可能にし、適当な形状、サイズに形成され、必要に応じてその位置関係を調整可能な構成とすることができる。また、これらの看取孔２ａ、２ｂをガラス板やレンズによって塞ぐことによって、これらの看取孔２ａ、２ｂから容器１内に湿気や塵埃が進入することを防ぐことができる。
【００１８】  シャッタ３は前記容器１内にあって、看取孔２ａ、２ｂから容器１内を覗くと左右いずれか一方の眼あるいは両眼の視界を選択的に遮るように作動する。このシャッタ３の作動はシャッタ駆動制御手段としてのシャッタ駆動制御部６によってなされる。表示手段としての前記表示器４は容器１内であって、この容器１の他端を塞ぐもう一方の塞板１ｃ付近に設置されている。この表示器４は、例えば、垂直配置された矩形の表示板の表面に左右方向または上下方向に肉眼では看取不可能なサイズ（近視の場合には「小」、遠視の場合には「大」）の文字や絵柄が一定の間隔で多数配列（表記）したものからなる。これらのうち文字はひらがな、カタカナ、漢字のいずれかを単独でまたはこれらを混合して用いることができるが、書体が複雑でありかつ読みが簡単な漢字とすることが望ましい。
【００１９】  また、表示器４は表示器駆動制御部７によって垂直方向または水平方向に往復駆動される。この往復駆動のタイミング（速さ）および駆動時間は容器１の内部または外部から任意に調整可能になっている。また、図示しないが、この容器１内の長手方向の所定位置に移動調整する表示器移動手段を設けることができる。これにより看取孔２ａ、２ｂから容器２内を覗く眼の焦点距離に表示器４を位置合わせすることができる。照明部５は、常時は真っ暗な容器１内を照明するために用いられ、特に表示器４の表面に表示された文字や絵柄等を明るく照らして、これを看取孔２ａ、２ｂから読み易くしている。
【００２０】  図２は、前記シャッタ３の具体例を示し、このシャッタ３を容器１内から塞板１ｂ側を見た図である。この塞板１ｂには前述のような２個の看取孔２ａ、２ｂが設けられ、これらの看取孔２ａ、２ｂの下部にモータ８が取り付けられている。このモータ８は駆動軸９にシャッタ３を構成する扇形板１０を取り付けており、このモータ８の回転とともに、その扇形板１０を所定の角度範囲内で往復回動可能にしている。
【００２１】  また、シャッタ３はこれの一部に貫通する１個の透過孔３ａを有する。この透過孔３ａは看取孔２ａ、２ｂより少し大きめのサイズであり、シャッタ３の前記正逆回動によって看取孔２ａ、２ｂのいずれか一方に対し中心線が合致するように連通する。これにより、看取孔２ａ、２ｂから容器１内を覗き込む左眼および右眼の一方または他方の視界を遮ることができる。なお、図示しないが、シャッタ３に設けられる透過孔３ａを長円弧孔とすることで、シャッタ３の往復回動によって両眼の視界を所定のタイミングで同時に遮断および透過させるようにすることもできる。
【００２２】  前記モータ８は、シャッタ駆動制御部６内の駆動回路１１から駆動電流を受けて駆動され、制御回路１２は、タイマにて設定された所定の反復タイミングにて所定時間ずつモータ８を正転および逆転させるように、駆動回路１１を制御する。
【００２３】  図３は、表示器４の具体例を示し、ここでは表示器４を容器１内から側板１ｃ側を見た図である。この塞板１ｃにはモータ１３が取り付けられ、このモータ１３の駆動軸１４にピニオン１５が取り付けられている。一方、容器１内の底部付近にはガイドレール１６が水平配置され、このガイドレール１６には矩形の表示板１７の下縁が水平移動可能に支持されている。この表示板１７の上縁にはこの表示板の長さに相当するラック部材１８が取り付けられており、このラック部材１８に前記ピニオン１５が噛合されている。
【００２４】  従って、モータ１３の駆動によるピニオン１５の正転、逆転によって、表示板１７は図中、左右方向へ移動可能になっている。モータ１３は駆動回路１９からの駆動電流を受けて駆動され、制御回路２０はタイマにて設定された所定の反復タイミングで所定時間ずつモータ１３を正転または逆転させるように、駆動回路１９を制御する。なお、制御回路１２、２０による各モータ８、１３の駆動タイミングおよび駆動時間は互いに同期することを要せず、むしろ独立した動作となるが、いずれもマニュアル設定可能とすることが望ましい。
【００２５】  また、表示器４の表示板１７の表面には、看取対象として多数の小文字や小絵柄が略整然と配置されている。小文字はひらがな、カタカナ、漢字、数字など、好ましくは何人にも略無意識に読むことができる文字であることが望ましく、例えば看取対象である文字を印刷した、図４に示すような印刷物２６を表示板１７の表面に貼付することもできる。図４では、印刷物２６として新聞の株式欄にある株価表を用いた場合を示している。絵柄は子供などにも分かり易い小鳥、動物、花などの絵柄であることが望ましい。なお、小文字で印刷された、前記新聞の株式市況を表示する文字列（または文字群）や数字列（または数字群）など、簡単に入手可能な印刷物をコピーし、表示板１７に貼り付けるなどして利用することができる。図４は、かかる表示板１７の表面に小文字の文字群を表示したものを示す。
【００２６】  次に前記構成になる視力回復システムを用いて視力の回復訓練をする方法について説明する。
先ず、視力の回復訓練を開始するに当たって、モータ１３の正転および逆転の時間および切り替えタイミングを設定する、この設定はタイマのマニュアル操作によって行う。これによりこのタイマの設定値に基づき制御回路２０は所定の時間およびタイミングでモータ１３を駆動し、前記設定時間後にモータ１３の駆動制御を停止させることができる。
【００２７】  また、このモータ１３の駆動開始に前後して照明部５を点灯させて、表示器４の表示板１７の表面を明るく照明する。さらに、訓練者（白内障等の治療による視力回復過程にある訓練者を含む）の視力や裸眼の焦点距離に応じて、シャッタ３位置に対して表示器４の近接または離隔の距離調整を行う。次に、訓練者は、前記塞板１ｂ側に設けられた看守孔２ａ、２ｂにそれぞれ左眼および右眼を当てるようにして、容器１内を覗き込む。
【００２８】  訓練者はマニュアル操作によって、モータ８の駆動を図示しないスイッチ操作によって開始させる。これにより制御回路１２は予めタイマ設定されたタイミングにて所定時間、駆動回路１１を通じてモータ８に電流を供給する。この電流供給のタイミングおよび時間は必ずしもマニュアル設定する構成とする必要はない。モータ８の駆動開始前は、図２に示すように、シャッタ３の透過孔３ａが塞板１ｂに設けられた看取孔２ａと中心線が一致するように対向し、この対向時間中（例えば、１５秒）は、この状況を維持する。従って、訓練者の左眼によって表示板１７上の文字や絵柄等が前記所定時間看取可能になる。
【００２９】  一方、前記タイミング、つまり予め設定された時間が経過すると、モータ８に駆動回路１１を通じて正方向電流が供給される。このため、モータ８は逆転駆動され、これに伴ってシャッタ３は駆動軸９を中心に矢印Ｐ方向に所定の角度分回動して止まる。これにより、シャッタ３の透過孔３ａは塞板１ｂの看取孔２ｂに対し中心線が一致するように対向し、この対向状態が前記と同様の時間（１５秒）維持される。従って、訓練者の右眼によって表示板１７上の文字や絵柄等が看取可能となる。この時間を経過した後、制御回路１２はモータ８を逆転する。かかるモータ８の正逆転動作を繰り返すことによって、シャッタ３の透過孔３ａが看取孔２ａ、２ｂのそれぞれに対して交互に連通することになる。
【００３０】  そこで、先ず透過孔３ａが看取孔２ａに連通した場合には、左眼で容器１内における表示器４上の多数の文字列や絵柄列が所定時間だけ看取可能になる。この文字列や絵柄列の看取は、特に神経を集中して行う必要がなく、通常時のように、人や物を眺めるといった状態と同様にして行う。そして、この看取の当初では、水平方向に往復移動を繰り返す文字列や絵柄列を殆ど認識することはできず、漠然とした文字や絵柄の線状や帯状の色として看取される。
【００３１】  そして、所定時間（例えば、３分）経過後にモータ８が逆転駆動されると、シャッタ３は前述のように駆動軸９を中心に回動して、透過孔３ａが看取孔２ｂに連通する。この場合に、右眼で水平方向に往復移動する表示板１７上の文字や絵柄が看取可能となる。この場合にも、前述と同様に右眼で看取される文字列や絵柄列はぼんやりした線状または帯状の色として看取される。
【００３２】  かかるシャッタ２の回動方向を変える動作を、例えば３分毎に３回（往復で６回）繰り返すうちに、これまでぼんやりしていた線状や帯状に看取された文字や絵柄が色の濃い部分が、部分部分に分かれるように看取され、さらにこれを数日間繰り返すことにより、色の濃い部分が次第に文字や絵柄としてぼんやりとして捉えられるようになる。この段階まで訓練を踏んでくると、訓練終了後に外界の景色を眺めると、これまで見えることがなかった遠景の人や物およびこれらの動きなどの判別が可能になる程度に、視力が回復したことが分かる。さらに、かかる訓練を続けると、前述のようにぼんやり見えていた文字列や絵柄列が、さらに明瞭に看取可能になり、この状態で、外界内の人や物を眺めるとこれらの識別がより一層明確に行えることとなる。
【００３３】  なお、前記実施の形態では、モータ８によって回動されるシャッタ３によって左眼および右眼の一方の視界を交互に遮蔽する場合を示したが、両眼を一定のタイミングで同時に遮蔽する構成を採用することもできる。この場合には、透過孔３ａが長円弧状とされる。ところで、図１に示す装置は幾分構成が大掛かりとなり、高価になる。このため、シャッタとして液晶パネルを用いることもできる。液晶パネルは液晶を介在させた２枚のガラス板と偏光板とを組み合わせて構成され、電圧供給のオンおよびオフによって液晶分子のねじれの発生およびねじれの解除を行わせることによって、偏光板に対する光の透過および不透過を可能にしている。これにより前述のように視界を遮断および開放するシャッタを、小形で安価に構成できる。
【００３４】  また、シャッタを容器１内に設置するのではなく、メガネ枠に直接取り付けるようにすれば、このシャッタ付きメガネ枠を顔に着け、容器１外の壁面等に貼り付けた印刷物２６を看取するという簡単な作業で、あらゆる環境、場所での視力の回復訓練をいつでも簡単に実施することができる。図５は、メガネ枠２１の２つの枠部２２，２３のそれぞれに液晶型のシャッタ２４、２５をそれぞれ取り付けたものを示す。なお、これらの液晶型のシャッタ２４、２５は、液晶パネルの図示しない作動制御装置によって作動が制御されるものとする。これによれば、図５（ａ）、（ｂ）に示すように、シャッタ２４、２５を交互に１５秒間ずつ作動させて左眼および右目の視界を所定タイミングで交互に、または図５（ｃ）に示すように、１５秒間両眼を所定タイミングで同時に、それぞれ遮断（遮断状態のシャッタは、図中斜線で示す）することにより、前記の回復訓練をいつでも簡単に実施することができる。この場合には、表示板１７上の文字や絵柄の往復移動を例えば１２０回／１５秒程度で実施すれば良い。
【００３５】  また、表示器４に液晶表示装置、プラズマ表示装置、ＥＬ表示装置、ＣＲＴ表示装置などを用いることで、サイズや形状が異なる複数種類の文字や絵柄を訓練用の看取対象として表示が可能になり、近視のみでなく遠視などの視力障害を持つ訓練者の利用範囲を広めることができる。
【００３６】  さらに、前記実施形態では、表示器４上に表示される文字列や絵柄列を横方向（水平方向）に繰り返し往復移動させる場合について説明したが、縦方向に並ぶ文字列や絵柄列を縦方向（上下方向）に繰り返し往復移動させる構成にしても、前記同様に眼の毛様筋の訓練には有効である。
【００３７】  また、図示しないが、表示器４のシャッタ３に対する距離を調整可能とすることで、表示器４を訓練者一人一人に合った焦点距離（位置）を設定することができる。
【００３８】  以上のように、本実施形態の視力回復システムは、人の右目および左目の視界を交互に、または両眼の視界を同時にそれぞれ遮断および開放するシャッタ３と、
このシャッタ３の遮断および開放の動作を所定のタイミングで制御するシャッタ駆動制御手段６と、前記シャッタ３を通して前記右目または左目、あるいは両眼によって看取される文字または絵柄等の看取対象を表示する表示器４と、前記シャッタ３から離れた設定位置において、前記表示器４を所定のタイミングで垂直方向または水平方向に往復移動制御する表示器駆動制御手段７と、を備える構成である。
【００３９】  従って、看取対象を集中的に注視することなく、往復移動する多数の小文字や小絵柄などの看取を所定時間、複数回繰り返すことで、疲労感や倦怠感を覚えずに短期で視力回復を促進できる。
【符号の説明】
【００４０】１  容器
２ａ、２ｂ  看取孔
３  シャッタ
３ａ  透過孔
４  表示器（表示手段）
５  照明部
６  シャッタ駆動制御部（シャッタ駆動制御手段）
７  表示器駆動制御部（表示器駆動制御手段）
８、１３  モータ
９、１４  駆動軸
１０  扇形板
１１、１９  駆動回路
１２、２０  制御回路
１５  ピニオン
１６  ガイドレール
１７  表示板
１８  ラック部材
２１  メガネ枠
２２、２３  枠部
２４、２５  シャッタ（液晶型のシャッタ）
２６  印刷物
【図１】
0003162922.tif 000003
【図２】
0003162922.tif 000004
【図３】
0003162922.tif 000005
【図４】
0003162922.tif 000006
【図５】
0003162922.tif 000007